(57)【要約】【課題】簡単な機構で水トレイを清潔に保つことのできる加湿機を提供する【解決手段】ストリーマ放電ユニット１８は、ストリーマ放電により活性種を生成する。加湿ロータ５０は、水トレイ４０の水を用いて空気を加湿する。シロッコファン１６は、加湿ロータ５０で加湿された空気を室内に吹き出させる。この吹き出される空気の一部が分流１３ａとして取り出される。それにより、シロッコファン１６による送風を利用して、ストリーマ放電ユニット１８で活性種の供給を受けた分流１３ｄが水トレイ４０の水の上方空間Ｓｐ１に送風され、活性種が水トレイ４０の上方空間Ｓｐ１に送り込まれる。【選択図】図３
2012026672.tif 000002
【特許請求の範囲】
【請求項１】
プラズマ放電により活性種を生成する放電部（１８）と、
水トレイ（４０）を有し、前記水トレイの水を用いて空気を加湿する加湿部（１５）と、
前記加湿部で加湿された空気を室内に吹き出させるためのファン（１６）と、
前記ファンによる送風を利用して前記放電部から前記水トレイの水の上方空間に活性種を送り込む流路（２０，７０，８３）と、
を備える、加湿機。
【請求項２】
前記ファンは、前記加湿部の下流側に配置され、
前記放電部は、前記流路において、前記ファンの下流側に配置され、
前記加湿部は、前記流路において、前記放電部の下流側に配置されている、
請求項１に記載の加湿機。
【請求項３】
前記加湿部へ供給される空気の塵埃を取り除くフィルタ部（１４）をさらに備え、
前記流路は、前記放電部の下流において前記フィルタ部の周囲のうちの少なくとも一部を通過し、前記フィルタ部に活性種を供給するための開孔（８４）を持つ活性種供給領域（Ａｒ）を有する、
請求項１又は２に記載の加湿機。
【請求項４】
前記加湿部へ供給される空気の塵埃を取り除くフィルタ部（１４）をさらに備え、
前記放電部及び前記流路は、前記フィルタ部の側面に配置されている、
請求項１又は２に記載の加湿機。
【請求項５】
前記加湿部の前記水トレイに水を供給するためのタンク（３０）をさらに備え、
前記水トレイは、空気を加湿する加湿空間と外部空間とを仕切り、前記外部空間に配置される前記タンクの水を前記加湿空間に導くための開口部（４３ａ）が形成されている仕切部（４３）を持つ、
請求項１から４のいずれか１項に記載の加湿機。
【請求項６】
前記流路は、前記外部空間の前記水トレイの近傍に、活性種を送り込むための送出口（８１）を持つ、
請求項５に記載の加湿機。
【発明の詳細な説明】
【技術分野】
【０００１】
本発明は、加湿機、特に、加湿のための水を水トレイで供給する加湿機に関する。
【背景技術】
【０００２】
従来から、室内の空気中に浮遊している臭気成分、塵埃、菌、およびウィルス等を除去したり、分解したりすることで空気を浄化する空気清浄機がある。また、このような空気清浄機の中には、空気浄化機能だけではなく、室内空気の湿度を増加させるための加湿機能を有するものがある。このような加湿機能は、例えば、特許文献１（特開２００９−１４８３０５号公報）に開示されているような円板状の加湿ロータを用いて実現される。このような加湿機能を持つ特許文献１の空気清浄機は、加湿機の一種であり、水を貯留する水トレイと、水トレイの水を空気中に放出するための円板状の加湿ロータとを備えている。加湿ロータは、その一部に水トレイからの水が供給されながら回転される。空気清浄機の内部に取りこまれた室内空気は、この加湿ロータを通過する際に加湿される。従来の空気清浄機は、水トレイの清掃などが必要になるため、水トレイを空気清浄機に着脱できるように構成されているのが一般的である。
【０００３】
空気清浄機の使用については、加湿を頻繁に行なう時期と、あまり加湿機能を使用しない時期とがある。加湿を頻繁に行なう時期には、水トレイを着脱して清掃する回数も多くなる傾向があり、水トレイが比較的清潔に保たれ易い。
【０００４】
ところが、加湿機能をあまり使用しない時期には、水トレイの清掃回数も減る傾向があり、使用されない水が比較的長く水トレイに残留するような場合も発生する。このような場合に、水トレイに菌が繁殖したり、ぬめりが発生したりするなど、衛生上好ましくない状況が生じることがある。
【発明の概要】
【発明が解決しようとする課題】
【０００５】
そこで、特許文献１に記載されているように、放電処理部で生成した活性種を含む空気を、送風ポンプによって水タンク内の水に供給することが行われる。このように、活性種を用いることでぬめりや菌の繁殖が抑えられる。
【０００６】
しかし、送風ポンプなどを用いると、大掛かりな機構が必要になり、装置の大型化や製造コストの増加を招くことになる。
【０００７】
本発明の課題は、簡単な機構で水トレイを清潔に保つことのできる加湿機を提供することにある。
【課題を解決するための手段】
【０００８】
本発明の第１観点に係る加湿機は、放電部と加湿部とファンと流路とを備えている。放電部は、プラズマ放電により活性種を生成する。加湿部は、水トレイを有し、水トレイの水を用いて空気を加湿する。ファンは、加湿部で加湿された空気を室内に吹き出させる。そして、流路は、ファンによる送風を利用して放電部から水トレイの水の上方空間に活性種を送り込む。
【０００９】
第１観点に係る加湿機によれば、ファンの送風を利用する流路という簡単な機構で、水トレイの水の上方空間に活性種を送り込むことができる。
【００１０】
本発明の第２観点に係る加湿機は、第１観点に係る加湿機において、ファンは、加湿部の下流側に配置されている。放電部は、流路において、ファンの下流側に配置されている。そして、加湿部は、流路において、放電部の下流側に配置されている。
【００１１】
第２観点に係る加湿機によれば、放電部と加湿部が流路において順にファンの下流側に配置されることで、ファンの吹き出しのみによって加湿部への空気の流れを作り出すことができる。
【００１２】
本発明の第３観点に係る加湿機は、第１観点又は第２観点に係る加湿機において、加湿部へ供給される空気の塵埃を取り除くフィルタ部をさらに備えている。流路は、放電部の下流においてフィルタ部の周囲のうちの少なくとも一部を通過し、フィルタ部に活性種を供給するための開孔を持つ活性種供給領域を有する。
【００１３】
第３観点に係る加湿機によれば、水トレイへ活性種を送る流路を兼用して、フィルタ部へも活性種を供給することができる。
【００１４】
本発明の第４観点に係る加湿機は、第１観点又は第２観点に係る加湿機において、加湿部へ供給される空気の塵埃を取り除くフィルタ部をさらに備えている。放電部及び流路は、フィルタ部の側面に配置されている。
【００１５】
第４観点に係る加湿機によれば、フィルタ部の側面に配置することで、加湿機のスペースを有効に活用することができる。
【００１６】
本発明の第５観点に係る加湿機は、第１観点から第４観点のいずれかの加湿機において、加湿部の水トレイに水を供給するためのタンクをさらに備えている。水トレイは、空気を加湿する加湿空間と外部空間とを仕切り、外部空間に配置されるタンクの水を加湿空間に導くための開口部が形成されている仕切部を持っている。
【００１７】
第５観点に係る加湿機によれば、水トレイが仕切部を持つので、仕切部によってタンクのある空間と加湿部の周囲の空間とを仕切ることができ、タンクを持つタイプの加湿機にも適用できる。
【００１８】
本発明の第６観点に係る加湿機は、第５観点の加湿機において、流路は、外部空間の水トレイの近傍に、活性種を送り込むための送出口を持っている。
【００１９】
第６観点に係る加湿機によれば、外部空間側に送出口を持つので、加湿空間の空気の流れに与える影響を小さくすることができる。
【発明の効果】
【００２０】
本発明の第１観点に係る加湿機では、簡単な機構で水トレイを清潔に保つことができる。
【００２１】
本発明の第２観点に係る加湿機では、簡単な構成で、活性種を水トレイに送り込む空気の流れを実現することができる。
【００２２】
本発明の第３観点に係る加湿機では、活性種を発生する機能を有する加湿機の小型化を図ることができる。
【００２３】
本発明の第４観点に係る加湿機では、スペースを有効に活用でき、加湿機の小型化を図り易くなる。
【００２４】
本発明の第５観点に係る加湿機では、タンクを持つタイプのものにも適用でき、汎用性が広がる。
【００２５】
本発明の第６観点に係る加湿機では、流路を設けることによる加湿空間の空気の流れに与える影響を小さくすることができ、加湿性能の低下を防ぐことができる。
【図面の簡単な説明】
【００２６】
【図１】一実施形態に係る加湿機の外観を示す斜視図。
【図２】一実施形態に係る加湿機の外観を示す斜視図。
【図３】加湿機における送風の経路を示す概念図。
【図４】左側板を開いた状態の加湿機の外観を示す斜視図。
【図５】水タンクと水トレイとファンケーシングとを取り除いた状態の加湿機の外観を示す斜視図。
【図６】本体ケーシングの内部を説明するための斜視図。
【図７】本体ケーシングの内部を説明するための斜視図。
【図８】（ａ）水トレイを構成する部品の平面図、（ｂ）水トレイを構成する部品の正面図、（ｃ）水トレイの仕切壁を説明するための図。
【図９】ファンケーシングへの水トレイの装着状態を説明するための斜視図。
【図１０】正面蓋を取外した加湿機の外観を示す斜視図。
【図１１】正面蓋を取外した加湿機の外観を示す正面図。
【図１２】図１１におけるＩ−Ｉ線断面図。
【図１３】（ａ）フィルタ支持部材の正面図、（ｂ）フィルタ支持部材の背面図、（ｃ）フィルタ支持部材の側面図。
【発明を実施するための形態】
【００２７】
以下、本発明が適用される加湿機の一例として、加湿機能を持つ空気清浄機について説明する。ただし、本発明は、空気清浄機能を必須の構成とするものではなく、空気清浄機能のない加湿機にも適用できるものである。
【００２８】
（１）空気清浄機の構成及び動作の概要
本発明の一実施形態に係る空気清浄機の全体構成の概要を図１及び図２に示す。図１は空気清浄機の正面に向かって右上方から見た斜視図であり、図２は空気清浄機の背面に向かって左上方から見た斜視図である。
【００２９】
空気清浄機１０には、室内空気を取り込む吸込口１１と、加湿した空気を吹き出す吹出口１２がある。吸込口１１は、前方下方の吸込口１１ａと側方の吸込口１１ｂとからなる。
【００３０】
図３は、空気清浄機における塵埃の除去や分解と加湿の概念を説明するための概念図である。シロッコファン１６によって吸込口１１から吹出口１２に至る空気の流れ１３が発生する。吸込口１１から吸込まれた室内空気は、フィルタ部１４で塵埃や臭い成分などが取り除かれ、加湿部１５で加湿されて、シロッコファン１６から加湿された清浄な空気が吹き出される。
【００３１】
フィルタ部１４は、プレフィルタ１７ＡとＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルタ１７Ｂと脱臭エレメント１７Ｃで構成されている。まず、空気清浄機１０が有するプレフィルタ１７Ａによって大きな塵埃が取り除かれる。次に、ＨＥＰＡフィルタ１７Ｂによってさらに微細な塵埃が取り除かれる。さらに、ＨＥＰＡフィルタ１７Ｂを通過した空気は、活性炭などを含む脱臭エレメント１７Ｃによってホルムアルデヒドや臭い成分などが分解されたり吸着されたりする。
【００３２】
加湿部１５は、加湿ロータ５０や水トレイ４０などを備えている。脱臭エレメント１７Ｃを通過した空気は、加湿部１５の加湿ロータ５０を通過する。加湿ロータ５０を空気が通過する際に、加湿ロータ５０から空気中に水分が放出される。放出されることによって減少する水分を補うため、加湿ロータ５０は、水トレイ４０から水の供給を受ける。
【００３３】
シロッコファン１６から吹き出される送風の分流１３ａがストリーマ放電ユニット１８に送られる。この送風の分流１３ａがストリーマ放電ユニット１８を通過するときに、ストリーマ放電によって活性種が供給される。活性種の供給された分流１３ｂは、その一部が分かれて複数の分流１３ｃとなって小さな開孔からプレフィルタ１７Ａの前に吹き出される。この複数の分流１３ｃは、プレフィルタ１７Ａから吸い込まれる室内空気に合流して脱臭エレメント１７Ｃにまで到達する。脱臭エレメント１７Ｃにまで達する活性種によって消臭効果が高められる。
【００３４】
分流１３ｂから分流１３ｃと分かれた分流１３ｄは、水トレイ４０の水の上方空間Ｓｐ１に送られる。この分流１３ｃの活性種により、水トレイ４０の菌の繁殖やぬめりの発生などが抑制されて水トレイ４０の内部が清潔に保たれる。
【００３５】
このような加湿機能を持つ空気清浄機１０の運転の切換えは、空気清浄機１０の上部に設けられている操作パネル１９によって行われる。操作パネル１９には、空気清浄機１０の運転のオン・オフ以外に、加湿運転のオン・オフを操作するスイッチが設けられている。それにより、加湿を行わずに空気清浄のみを行なう運転モードと空気清浄と同時に加湿を行う運転モードとが用意されている。
【００３６】
空気清浄のみを行う運転モードでは、加湿ロータ５０の回転が停止しており、加湿ロータ５０に水が供給されなくなる。そのため、加湿ロータ５０が乾いた後には水の空気中への放出が止まる。
【００３７】
（２）詳細構成
（２−１）水タンク
図４に示すように、空気清浄機１０の左側部には、水タンク３０が収納されている。空気清浄機１０は、その外郭が本体ケーシング２０で覆われている。本体ケーシング２０は、左側板２１が取り外せるようになっており、左側板２１に水タンク３０が取り付けられている。図示を省略するが、水タンク３０の下方に注水口が設けられている。
【００３８】
本体ケーシング２０は、空気清浄機１０の下方を窄めるように湾曲した左下側板２２が左側板２１の下に配置されている。この左下側板２２が水トレイ４０に取り付けられている。水タンク３０を装着すると、水タンク３０の下方の注水口から水タンク３０の水が水トレイ４０に注ぎ込まれる。
【００３９】
本体ケーシング２０内の水タンク３０の左側には、図３に示したシロッコファン１６が収納されているファンケーシング７０が配置されている。ファンケーシング７０は、吹出口１２に向かって上方に延びており、ファンケーシング７０の吹出口が本体ケーシング２０の吹出口１２に一致する。
【００４０】
（２−２）水トレイ
図４の状態から、左側板２１と水タンク３０と水トレイ４０を取り除き、さらに、シロッコファンをファンケーシング７０とともに取り除いた状態が図５に示す状態である。水トレイ４０は、図５に示す外部空間Ｓｐ１から装着される。図５においてハニカム状の開口を有する前面側の部材がフィルタ支持部材８０である。フィルタ支持部材８０に、図３に示したプレフィルタ１７ＡやＨＥＰＡフィルタ１７Ｂや脱臭エレメント１７Ｃが取り付けられる。
【００４１】
空間Ｓｐ１の水トレイ４０の上方空間に面して、フィルタ支持部材８０に送出口８１が設けられている。この送出口８１から活性種を含んだ空気が吹き出される。
【００４２】
図６及び図７は、図４の状態から、左下側板２２を除く本体ケーシング２０、水タンク３０及びフィルタ支持部材８０を取り外した状態を示している。図６は、空気清浄機１０の正面側左斜め上方から見た斜視図であり、図７は、空気清浄機１０の背面側左斜め上方から見た斜視図である。
【００４３】
水トレイ４０は、主に、水タンク３０の下に配置される受水部４１と、加湿ロータ５０の下部が水に浸漬されるロータ浸漬部４２と、仕切壁４３と、軸受け４４と、仕切板４５とを備えている。加湿ロータ５０の軸を受ける軸受け４４は、ロータ浸漬部４２を構成する水トレイ４０の側壁の上に取り付けられている。
【００４４】
受水部４１とロータ浸漬部４２とは、水トレイ４０に貯留される水を仕切る仕切壁４３で仕切られている。仕切壁４３は、図７では左下側板２２などで隠れている下方に受水部４１からロータ浸漬部４２に通じる開口部が設けられている。それにより、水が水トレイ４０に入っている状態で開口部が水で塞がれて、受水部４１とロータ浸漬部４２が分離される。
【００４５】
仕切板４５は、仕切壁４３の上から隙間なく上方に延びている。水トレイ４０が装着された状態では、仕切板４５がファンケーシング７０に隙間なく合わさる。そして、図６に示す状態で水トレイ４０がファンケーシング７０にロック機構によってロックされる。
【００４６】
加湿ロータ５０が収納されている空間Ｓｐ２は、ファンケーシング７０とフィルタ支持部材８０とによって形成されるハウジングの内部の空間である。この空間Ｓｐ２は、側壁７１と上壁７２と下壁７３と後壁７４と仕切板４５とフィルタ支持部材８０とで囲まれている。それにより、外部空間Ｓｐ１から空間Ｓｐ２が仕切られ、外部空間Ｓｐ１と空間Ｓｐ２とを繋ぐ経路は、吸込口１１や吹出口１２などの特定の経路に限られる。このハウジングは、フィルタ支持部材８０に形成されているハニカム状の開口部や後壁７４に設けられている開口部以外には、開口部を有していない。そのため、フィルタ支持部材８０から空間Ｓｐ２に供給された空気と同じ量の空気が、空間Ｓｐ２から後壁７４を抜けてシロッコファン１６に供給される。
【００４７】
シロッコファン１６から上方に向けて吹き出される空気の一部が分流１３ａとなって、ファンケーシング７０の開口部７９からストリーマ放電ユニット１８に向けて送られる。分流１３ａが通る流路は、本体ケーシング２０とファンケーシング７０に囲まれて、開口部７９とストリーマ放電ユニット１８以外には通じていない。そのため、外部空間から空気が流入したり、外部空間に分流１３ａが流れ出したりすることはない。ストリーマ放電ユニット１８で活性種が付与された分流１３ｂは、ストリーマ放電ユニット１８から下方の水トレイ４０の方に向けて吹き出される。
【００４８】
図８は、水トレイの受水部４１とロータ浸漬部４２と仕切壁４３を一体的に成形した部品の構成を示す図である。図８（ａ）はこの部品の平面図、図８（ｂ）はこの部品の正面図、図８（ｃ）は仕切壁の側面図である。
【００４９】
受水部４１と仕切壁４３の近傍にある２つのネジ穴４０ａには、仕切板４５を留めるためのネジがねじ込まれる。また、ロータ浸漬部４２の前方側壁４２ａ及び後方側壁４２ｂに夫々２つずつ設けられているネジ穴４０ｂ，４０ｃには、軸受け４４を留めるためのネジがねじ込まれる。
【００５０】
図８（ｂ）から分かるように、水トレイ４０の下方に仕切部４０ｄが突出している。仕切部４０ｄは水トレイ４０の下方において前後に長く延びている。この仕切部４０ｄは、水トレイ４０の下方においてハウジングの下壁７３に当たって、ハウジングの空間Ｓｐ２とその外部空間とを仕切っている。
【００５１】
図８（ｃ）に示すように、仕切壁４３には、開口部４３ａが設けられており、この開口部４３ａによって、受水部４１とロータ浸漬部４２とが繋がっている。そのため、水タンク３０から受水部４１に供給された水は、開口部４３ａを通ってロータ浸漬部４２に流れ込む。水タンク３０に水が残っているときの水位が、２点鎖線４３ｂで示されている。この高さまで水位があると開口部４３ａが水によって塞がれているため、開口部４３ａが空気のバイパス経路となることはない。
【００５２】
（２−３）加湿ロータ
図６に示す加湿ロータ５０は、リング状フレーム５２に多孔質の気化フィルタ５１が取り付けられた構造を有する。加湿ロータ５０は、この気化フィルタ５１から水を気化させて加湿を行う。そのために、加湿ロータ５０の回転に連れて、乾いた気化フィルタ５１の下部がロータ浸漬部４２の水に漬かるように設計されている。また、気化フィルタ５１への給水を補助するために、水溜部５３によって水を汲みあげて、水溜部５３からリング状フレーム５２の穴（図示省略）を通ってリング状フレーム５２の内周の気化フィルタ５１に水を供給することができるよう構成されている。図示を省略しているが、加湿ロータ５０はモータによって回転される。
【００５３】
（２−４）シロッコファンとファンケーシング
図６の状態から加湿ロータ５０及び軸受け４４を取り除いた状態を図９に示す。加湿ロータ５０を取り除くことにより、加湿ロータ５０の下流側にあるシロッコファン１６が見える。シロッコファン１６へは、ハウジングの後壁７４の開口部７６から加湿された空気が供給される。
【００５４】
（３）活性種供給用の流路
図３に示した分流１３ａ，１３ｂ，１３ｃ，１３ｄを流すための流路について図を用いて説明する。図１に示す本体ケーシング２０の正面蓋２３を取り除いた状態の空気清浄機１０の斜視図及び正面図が図１０及び図１１である。また、図１１のＩ−Ｉ線断面を図１２に示す。なお、図１２において点線で示したものはプレフィルタ１７Ａのメッシュ部分である。図１３及び図１４は、フィルタ支持部材の構成を説明するための図である。図１３（ａ）は、フィルタ支持部材の正面図であり、図１３（ｂ）は、フィルタ支持部材の背面図であり、図１３（ｃ）はフィルタ支持部材の側面図である。
【００５５】
分流１３ａが流れる流路は、図７において既に説明している。分流１３ａが流れる流路は、ファンケーシング７０の開口部７９からストリーマ放電ユニット１８に通じる流路であって、本体ケーシング２０とファンケーシング７０によって囲まれて形成されている。
【００５６】
ストリーマ放電ユニット１８で活性種が供給された分流１３ｂは、図７に示すように、ストリーマ放電ユニット１８から下方に吹き出される。ストリーマ放電ユニット１８は、図１３（ａ）及び図１３（ｂ）に示すように、フィルタ支持部材８０の左上部には、背面側から正面側に貫通する、ストリーマ放電ユニット１８を格納するための収納部８２が形成されている。この収納部８２から下方に中空の部分が延びて流路８３を形成している。流路８３を構成する中空の部分は、図１２から分かるように、フィルタ支持部材８０を構成する前面側部品８０ａと背面側部品８０ｂとを嵌合させることによって形成されている。
【００５７】
流路８３には、上下に多数並んだ開孔８４が形成されている。この開孔８４は、側方の吸込口１１ｂに沿って形成されている。そのため、開孔８４から吹き出される分流１３ｃは、プレフィルタ１７Ａの方に向かう流れになる。
【００５８】
流路８３の下方には、送出口８１が形成されている。送出口８１は、図５に示したように左下側板２２の上端よりも上に位置しており、すなわち水トレイ４０の上方空間に位置している。送出口８１の位置は、水トレイ４０の受水部４１の上方である。この送出口８１からは、この受水部４１に活性種を送り込んで、受水部４１の菌の繁殖を抑えたり、ぬめりの発生を抑制したりすることができる。そして、受水部４１の水位が低いときには、図８に示した開口部４３ａを通ってロータ浸漬部４２にまで活性種が送り込まれる。
【００５９】
（４）特徴
（４−１）
図３に示すように、ファンケーシング７０の開口部７９からシロッコファン１６によって吹き出された空気は、その一部が分流１３ａとなって、最終的には、水トレイ４０の上方空間にある送出口８１から吹き出される。この間に特にファンなどは設けられておらず、シロッコファン１６の風圧のみで吹き出される。そのため、流路８３など空気を導くための経路（流路）のみの簡単な機構で、水トレイ４０の水の上方空間に、ストリーマ放電ユニット１８（放電部）におけるストリーマ放電（プラズマ放電）により生成された活性種を送り込むことができる。それにより、水トレイ４０の受水部４１を清潔に保つことができる。また、水位が下がって仕切壁４３の開口部４３ａを通ってロータ浸漬部４２に活性種を送り込める状況では、活性種によってロータ浸漬部４２も清潔に保つことができる。
【００６０】
（４−２）
図９などを用いて説明したように、シロッコファン１６は、水トレイ４０や加湿ロータ５０などを含む加湿部１５の下流側に配置されている。ストリーマ放電ユニット１８（放電部）は、ファンケーシング７０の開口部７９とフィルタ支持部材８０の流路８３の間に設けられ、シロッコファン１６の下流側に配置されている。そして、流路８３の送出口８１の近傍の水トレイ４０は、流路において、ストリーマ放電ユニット１８の下流側に配置されている。このように、シロッコファン１６の吹き出しのみによって水トレイ４０の上方空間への活性種の空気の流れを作り出す流路を、簡単な構成で実現している。
【００６１】
（４−３）
図１２に示すように、フィルタ部１４の側面、すなわちフィルタ支持部材８０の左側面側には、流路８３が設けられている。この流路８３には、活性種を含んだ分流１３ｂが流れるのであるが、この流路８３の領域Ａｒ（活性種供給領域）には多数の開孔８４が形成されており、側面の吸込口１１ｂから吸い込まれる室内空気とともに、プレフィルタ１７Ａ、ＨＥＰＡフィルタ１７Ｂ及び脱臭エレメント１７Ｃに活性種を供給することができる。このように、水トレイ４０へ活性種を送る流路８３を兼用して、フィルタ部１４の脱臭エレメント１７Ｃなどへも活性種を供給することができ、活性種を用いる空気清浄機１０（加湿機）の小型化を図ることができる。
【００６２】
（４−４）
図１１及び図１２に示すように、フィルタ部１４の厚みを活用して、ストリーマ放電ユニット１８（放電部）及び流路８３がフィルタ支持部材８０の左側面側に設けられている。このように、ＨＥＰＡフィルタなどを支持しているフィルタ支持部材8０の厚みを活用してストリーマ放電ユニット１８の収納部８２を設けたり、流路８３を設けたりすることで空気清浄機１０（加湿機）の小型化を図ることができる。
【００６３】
（４−５）
図８（ａ）に示すように、水トレイ４０は、受水部４１とロータ浸漬部４２とを仕切る仕切壁４３（仕切部）を有している。この仕切壁４３は、図６及び図７に示すように、空間Ｓｐ２（加湿空間）と外部空間Ｓｐ１とを仕切る役割の一部を担っている。この仕切壁４３を持つことで、外部空間Ｓｐ１から水トレイ４０に水タンク３０をセットすることができる。それにより、水タンク３０を持つタイプの空気清浄機１０（加湿機）に適用しても空間Ｓｐ２と外部空間Ｓｐ１との間にバイパスができるのを最小限に留めることができる。
【００６４】
（４−６）
図７に示すように、外部空間Ｓｐ１の水トレイ４０の近傍には、図５に示す送出口８１が設けられている。この外部空間Ｓｐ１は、上述のように図７に示す空間Ｓｐ２（加湿空間）から仕切られているので、空間Ｓｐ２の空気の流れに与える影響を小さくして、加湿性能の低下を防ぐことができる。
【００６５】
（５）変形例
（５−１）変形例１Ａ
上記実施形態では、シロッコファン１６から吹き出された空気の一部を分流１３ａとして取り出し、新たにファンやポンプなどを設けずに、ストリーマ放電ユニット１８で生成された活性種を水トレイ４０の近傍に導いている。しかし、このような空気の流れを作り出す方法は、シロッコファン１６が吹き出す送風に限られず、シロッコファン１６に吸入される空気の流れを用いて、活性種を水トレイ４０の近傍に導くようにしてもよい。その場合には、空間Ｓｐ２の側の水トレイ４０のロータ浸漬部４２の近傍に活性種を導くように経路を設けることもできる。
【００６６】
（５−２）変形例２Ａ
上記実施形態では、放電部としてストリーマ放電ユニット１８を例に挙げたが、プラズマ放電を行う放電部は、他の種類のプラズマ放電ユニットでもよく、ストリーマ放電ユニットに限られるものではない。
【００６７】
（５−３）変形例３Ａ
上記実施形態では、加湿部１５に加湿ロータ５０を用いる気化加湿方式を例に挙げたが、加湿部１５には加湿ロータ５０を用いない、例えばヒータ加湿方式や超音波加湿方式などの他の加湿方式を用いることができる。
【００６８】
（５−４）変形例４Ａ
上記実施形態では、ファンにシロッコファン１６を用いる場合を例に挙げたが、ファンとして、ターボファンやクロスフローファンなど他のタイプのファンを用いることができる。
【００６９】
（５−５）
上記実施形態では、フィルタ部１４が、プレフィルタ１７ＡとＨＥＰＡフィルタ１７Ｂと脱臭エレメント１７Ｃで構成されている場合について説明したが、静電集塵フィルタなどの他の種類のフィルタを組み合わせたり、光触媒チタンアパタイトを担持させたエレメントなど他のエレメントを組み合わせたりすることもできる。
【符号の説明】
【００７０】
１０  空気清浄機
２０  本体ケーシング
３０  水タンク
４０  水トレイ
５０  加湿ロータ
７０  ファンケーシング
８０  フィルタ支持部材
【先行技術文献】
【特許文献】
【００７１】
【特許文献１】特開２００９−１４８３０５号公報
【図１】
2012026672.tif 000003
【図２】
2012026672.tif 000004
【図３】
2012026672.tif 000005
【図４】
2012026672.tif 000006
【図５】
2012026672.tif 000007
【図６】
2012026672.tif 000008
【図７】
2012026672.tif 000009
【図８】
2012026672.tif 000010
【図９】
2012026672.tif 000011
【図１０】
2012026672.tif 000012
【図１１】
2012026672.tif 000013
【図１２】
2012026672.tif 000014
【図１３】
2012026672.tif 000015